(57)【要約】【課題】角度調整が可能な打撃練習装置を提供する。【解決手段】打撃練習装置１は、支持体１０及び打撃機構２０を備える。支持体１０は、第１の方向３０に沿ってベース端子１１及び組み込み接続端１２を有する。組み込み接続端１２は、組み込み接続構造を有する。打撃機構２０は、第１の架設構造と、第１の架設構造に枢着された第１の打撃部材２２とを有する。第１の架設構造は、組み込み接続構造に選択的に枢着されて第１の方向３０で回転可能である。第１の架設構造及び第１の打撃部材２２は、何れか一方が第１の位置決め機構を有し、他方が少なくとも１つの第２の位置決め機構を有する。第１の打撃部材２２は、第１の方向３０で第１の位置と第２の位置との間で揺動し、第１の打撃部材２２が第１の位置にあるとき、第１の位置決め機構及び少なくとも１つの第２の位置決め機構は、リリース可能に位置決めされる。【選択図】図１
2017205508.tif 000002
【特許請求の範囲】
【請求項１】
支持体及び打撃機構を備えた打撃練習装置であって、
前記支持体は、第１の方向に沿ってベース端子及び組み込み接続端を有し、
前記組み込み接続端は、組み込み接続構造を有し、
前記打撃機構は、第１の架設構造と、前記第１の架設構造に枢着された第１の打撃部材と、を有し、
前記第１の架設構造は、前記組み込み接続構造に選択的に枢着されて第１の方向で回転可能であり、
前記第１の架設構造及び前記第１の打撃部材は、何れか一方が第１の位置決め機構を有し、他方が少なくとも１つの第２の位置決め機構を有し、
前記第１の打撃部材は、第１の方向で第１の位置と第２の位置との間で揺動し、前記第１の打撃部材が前記第１の位置にあるとき、前記第１の位置決め機構及び前記少なくとも１つの第２の位置決め機構は、リリース可能に位置決めされることを特徴とする、
打撃練習装置。
【請求項２】
少なくとも１つの第２の位置決め機構の数は複数であり、前記複数の第２の位置決め機構は、位置決め穴であり、前記第１の位置決め機構は、弾性固定部材を有し、前記弾性固定部材は、前記第２の位置決め機構に選択的に弾発係合されることを特徴とする請求項１に記載の打撃練習装置。
【請求項３】
前記打撃機構は、第２の打撃部材を有し、前記第２の打撃部材は、第２の架設構造を有し、前記第２の架設構造は、前記組み込み接続構造に着脱自在に位置決めされて取付けられることを特徴とする請求項１に記載の打撃練習装置。
【請求項４】
前記組み込み接続構造は、第１のねじ部を有し、前記第２の架設構造は、前記第１のねじ部が螺合する第２のねじ部を有し、前記第１のねじ部及び前記第２のねじ部は、何れか一方が雌ねじを有し、他方が雄ねじを有することを特徴とする請求項３に記載の打撃練習装置。
【請求項５】
前記第２の打撃部材は、接続ボディ部と、前記接続ボディ部の一端に設けられた第１の打撃部と、を有し、前記接続ボディ部の他端には、前記第２の架設構造が設けられることを特徴とする請求項４に記載の打撃練習装置。
【請求項６】
前記接続ボディ部は、杆体及びコイル状スプリングを有し、前記杆体は、第２の架設構造及び第１の雄ねじ部を有し、前記第１の打撃部には、第２の雄ねじ部が延設され、前記コイル状スプリングは、前記第１の雄ねじ部及び前記第２の雄ねじ部にそれぞれ螺着されることを特徴とする請求項５に記載の打撃練習装置。
【請求項７】
前記支持体は、ベース及び支持杆を有し、前記ベースは、結合部を有し、前記結合部の横方向には、少なくとも１つの縦槽が凹設され、前記縦槽の槽底には、少なくとも１つの穴部が形成され、前記支持杆の両端には、前記組み込み接続構造及びホルダ部がそれぞれ設けられ、前記ホルダ部の内壁には、少なくとも１つの縦向きロック部が縦向きに設けられ、前記少なくとも１つの縦向きロック部に対応した穿孔が横方向で形成され、前記ホルダ部は、前記結合部に嵌着され、前記少なくとも１つの縦向きロック部は、前記少なくとも１つの縦槽に嵌設され、前記少なくとも１つの穿孔は、前記少なくとも１つの穴部に対応するとともに、少なくとも１つの螺着部材が挿設されることを特徴とする請求項１に記載の打撃練習装置。
【請求項８】
前記支持体は、伸縮可能に軸着された第１の支持杆及び第２の支持杆を有し、前記第１の支持杆及び前記第２の支持杆は、何れか一方が少なくとも１つの第１の貫通穴を有し、他方が間隔をおいて形成された複数の第２の貫通穴を有し、前記第１の貫通穴には、弾発係合機構が位置決め可能に挿通され、前記複数の第２の貫通穴のうちの１つに弾発係合されることを特徴とする請求項１に記載の打撃練習装置。
【請求項９】
前記少なくとも１つの第２の位置決め機構の数は複数であり、前記複数の第２の位置決め機構は位置決め穴であり、前記第１の位置決め機構は、弾性固定部材を有し、前記弾性固定部材は、前記第２の位置決め機構に選択的に弾発係合され、前記第１の架設構造の他側には、角度調整機構が設けられ、前記角度調整機構は、Ｕ字状枠体を有し、前記Ｕ字状枠体は、互いに対をなすように設置された２つのプレートを有し、前記２つのプレートにより収容槽が画成され、前記２つのプレートは、対照的に設けられた前記複数の第２の位置決め機構を有し、前記第１の位置決め機構は、前記収容槽に枢着された管体を有し、前記管体は、互いに対をなすように形成された２つの穴構造を有し、前記弾性固定部材は、前記管体内に設けられるとともに、互いに対をなす２つの前記第２の位置決め機構と、前記２つの穴構造とに弾発係合され、前記第１の位置決め機構は、前記第１の打撃部材に設けられ、前記複数の第２の位置決め機構は、各前記プレートの周縁に沿って配列され、前記第１の架設構造は、前記組み込み接続構造の筒体に枢着され、前記第１の打撃部材は、前記第１の位置決め機構と横方向で接続された第２の打撃部を有し、前記第２の打撃部は、被覆部材により被覆され、前記第１の架設構造と前記組み込み接続構造との間には、少なくとも１つの軸受が嵌設され、前記支持体は、ベース及び支持杆を有し、前記ベースは、結合部を有し、前記結合部の横方向には、少なくとも１つの縦槽が凹設され、前記縦槽の槽底には、少なくとも１つの穴部が形成され、前記支持杆の両端には、前記組み込み接続構造及び前記ホルダ部がそれぞれ設けられ、前記ホルダ部の内壁には、少なくとも１つの縦向きロック部が縦向きに設けられ、前記少なくとも１つの縦向きロック部に対応した穿孔が横方向で形成され、前記ホルダ部は、前記結合部に嵌着され、前記少なくとも１つの縦向きロック部は、前記少なくとも１つの縦槽に嵌設され、前記少なくとも１つの穿孔は、前記少なくとも１つの穴部に対応するとともに、少なくとも１つの螺着部材が挿設され、蓋体をさらに備え、前記蓋体には、前記支持杆が挿設され、前記蓋体は、前記少なくとも１つの穿孔に対応した少なくとも１つの貫通穴を有するとともに、前記ホルダ部に嵌設され、前記少なくとも１つの螺着部材が挿設されて固定され、前記結合部には、雄ねじ凸柱が突設され、前記支持杆は、伸縮可能に軸着された第１の支持杆及び第２の支持杆を有し、前記第１の支持杆は、少なくとも１つの第１の貫通穴及び前記ホルダ部を有し、前記第２の支持杆は、複数の第２の貫通穴及び組み込み接続構造を有し、前記第１の貫通穴には、弾発係合機構が位置決め可能に挿通され、前記複数の第２の貫通穴のうちの１つに弾発係合されることを特徴とする請求項６に記載の打撃練習装置。
【請求項１０】
カバー部材をさらに備え、前記第１の打撃部材が前記組み込み接続構造に単独で嵌着されると、前記カバー部材は、前記組み込み接続構造の頂端に着脱自在に取付けられるとともに、前記第１の方向で前記第１の架設構造に係止されることを特徴とする請求項１〜９の何れか１項に記載の打撃練習装置。
【発明の詳細な説明】
【技術分野】
【０００１】
本発明は、練習装置に関し、特に、打撃練習装置に関する。
【背景技術】
【０００２】
一般によく見かける打撃練習装置は、使用者が打撃技術を向上させるための標的を有する。
【０００３】
しかし従来技術の打撃練習装置の標的は、位置が固定されているため、使用者は、必要に応じて角度を調整することができず、訓練の打撃角度が制限されていたため、様々な種類の打撃練習装置を使用しなければならず、使用し難く、訓練にかかるコストが増えた。
【０００４】
そのため、上述の問題点を改善することができる、新規性及び進歩性を有する打撃練習装置が求められていた。
【発明の概要】
【発明が解決しようとする課題】
【０００５】
本発明の目的は、角度調整が可能な打撃練習装置を提供することにある。
【課題を解決するための手段】
【０００６】
上記課題を解決するために、本発明の第１の形態によれば、支持体及び打撃機構を備えた打撃練習装置であって、前記支持体は、第１の方向に沿ってベース端子及び組み込み接続端を有し、前記組み込み接続端は、組み込み接続構造を有し、前記打撃機構は、第１の架設構造と、前記第１の架設構造に枢着された第１の打撃部材と、を有し、前記第１の架設構造は、前記組み込み接続構造に選択的に枢着されて第１の方向で回転可能であり、前記第１の架設構造及び前記第１の打撃部材は、何れか一方が第１の位置決め機構を有し、他方が少なくとも１つの第２の位置決め機構を有し、前記第１の打撃部材は、第１の方向で第１の位置と第２の位置との間で揺動し、前記第１の打撃部材が前記第１の位置にあるとき、前記第１の位置決め機構及び前記少なくとも１つの第２の位置決め機構は、リリース可能に位置決めされることを特徴とする打撃練習装置が提供される。
【図面の簡単な説明】
【０００７】
【図１】本発明の一実施形態に係る打撃練習装置を示す斜視図である。
【図２】本発明の一実施形態に係る打撃練習装置を示す分解斜視図である。
【図３】本発明の一実施形態に係る打撃練習装置を示す一部分解斜視図である。
【図４】本発明の一実施形態に係る打撃練習装置の使用状態の説明図である。
【図５】本発明の一実施形態に係る打撃練習装置の使用状態の説明図である。
【図６】本発明の一実施形態に係る打撃練習装置の使用状態の説明図である。
【図７】本発明の一実施形態に係る打撃練習装置を示す部分断面図である。
【図８】本発明の一実施形態に係る打撃練習装置の他の使用状態の説明図である。
【発明を実施するための形態】
【０００８】
以下、本発明の実施形態について図に基づいて説明する。なお、これによって本発明が限定されるものではない。
【０００９】
図１〜図８を参照する。図１〜図８に示すように、本発明の一実施形態に係る打撃練習装置１は、少なくとも支持体１０及び打撃機構２０から構成されてなる。
【００１０】
支持体１０は、第１の方向３０に沿ってベース端子１１及び組み込み接続端１２を有する。組み込み接続端１２は、組み込み接続構造１３を有する。打撃機構２０は、第１の架設構造２１と、第１の架設構造２１に枢着された第１の打撃部材２２と、を有する。第１の架設構造２１は、組み込み接続構造１３に選択的に枢着されて第１の方向３０で回転する。第１の架設構造２１及び第１の打撃部材２２は、何れか一方が第１の位置決め機構２４を有し、他方が第２の位置決め機構２３１を有する。
第１の打撃部材２２は、第１の方向３０で第１の位置と第２の位置との間で揺動し、第１の打撃部材２２が第１の位置にあるとき、第１の位置決め機構２４及び少なくとも１つの第２の位置決め機構２３１は、リリース可能に位置決めされる。これにより、第１の打撃部材２２は第１の方向３０で自在に回転し（例えば展開したり折り畳んだりして）、角度調整が可能で、使用者の訓練のニーズを満たすことができる。第１の打撃部材２２が第１の位置にあるとき、第１の架設構造２１は角度を有する状態で位置決めされる。
【００１１】
本実施形態の第１の位置決め機構２４は、第１の打撃部材２２に設けられる。
【００１２】
本実施形態の少なくとも１つの第２の位置決め機構２３１の数は複数である。複数の第２の位置決め機構２３１は位置決め穴である。第１の位置決め機構２４は、弾性固定部材２４１を有する。本実施形態の弾性固定部材２４１は、Ｖ字状ばねであるが、ボールプランジャ、伸縮ばねなどでもよい。弾性固定部材２４１は、第２の位置決め機構２３１に選択的に弾発係合され、第１の打撃部材２２の第１の方向３０に対する角度を調整し、第１の打撃部材２２を選択した角度で位置決めすることができる。
さらに詳細に述べると、第１の架設構造２１の他側には、角度調整機構２３が設けられる。角度調整機構２３はＵ字状枠体２３２を有する。Ｕ字状枠体２３２は、互いに対をなすように設置された２つのプレート２３３をさらに含む。２つのプレート２３３により収容槽２３４が画成される。２つのプレート２３３は、対称的に設けられた複数の第２の位置決め機構２３１を有する。第１の位置決め機構２４は、収容槽２３４に枢着された管体２４２を有する。管体２４２は、互いに対をなすように形成された２つの穴構造２４３を有する。弾性固定部材２４１は、管体２４２内に設けられる。弾性固定部材２４１は、互いに対をなす２つの第２の位置決め機構２３１と、２つの穴構造２４３とに弾発係合され、第１の打撃部材２２の第１の方向３０に対する角度を変えることができる。
本実施形態の各プレート２３３は、半弧状であるが、環状、方形状、Ｃ字状、弧状などでもよい。複数の第２の位置決め機構２３１は、各プレート２３３の周縁に沿って配列されている（他の実施形態では、少なくとも１つの第２の位置決め機構２３１は、第１の架設構造に設けてもよい）。複数の第２の位置決め機構２３１は、間隔をあけて配列されるか連続的に配列され、第１の打撃部材２２の第１の方向３０に対する角度を調整することができる。
【００１３】
打撃機構２０は、第２の打撃部材２５を有する。第２の打撃部材２５は、第２の架設構造２６を有する。第２の架設構造２６は、組み込み接続構造１３に着脱自在に位置決めされて取付けられ、様々な打撃訓練を行うことができる。
【００１４】
本実施形態の組み込み接続構造１３は、第１のねじ部１３１を有する。第２の架設構造２６は、第１のねじ部１３１と螺着された第２のねじ部２６１を有する。第１のねじ部１３１及び第２のねじ部２６１は、何れか一方が雌ねじを有し、他方が雄ねじを有し、これにより第２の打撃部材２５が支持体１０に強固に螺設される。第２の打撃部材２５は、接続ボディ部２５１と、接続ボディ部２５１の一端に設けられた第１の打撃部２５２と、を有する。接続ボディ部２５１の他端には、第２の架設構造２６が設けられる。
さらに詳細に述べると、接続ボディ部２５１は、杆体２５３及びコイル状スプリング２５４を有する。杆体２５３は、第２の架設構造２６及び第１の雄ねじ部２５５を有する。第１の打撃部２５２には、第２の雄ねじ部２５６が延設される。コイル状スプリング２５４は、第１の雄ねじ部２５５及び第２の雄ねじ部２５６にそれぞれ螺着される。コイル状スプリング２５４は、第１の打撃部材２２を揺らしたり発生した衝撃を和らげたりする。
第１の架設構造２１は、組み込み接続構造１３の筒体２１２に枢着される。第１の打撃部材２２は、第１の位置決め機構２４と横方向で接続された第２の打撃部２２１を有する。第２の打撃部２２１は、打撃の反作用力を低減させる被覆部材２２２により被覆される。第１の架設構造２１と組み込み接続構造１３との間には、少なくとも１つの軸受２１１が嵌設される。少なくとも１つの軸受２１１は、第１の打撃部材２２を第１の方向３０でスムーズに回転させることができる。
【００１５】
支持体１０は、ベース１０１及び支持杆１０２を有する。ベース１０１は、結合部１０３を有する。結合部１０３の横方向には、少なくとも１つの縦槽１０４が凹設される。縦槽１０４の槽底には、少なくとも１つの穴部１０５が形成される。支持杆１０２の両端には、組み込み接続構造１３及びホルダ部１０６がそれぞれ設けられる。ホルダ部１０６の内壁には、少なくとも１つの縦向きロック部１０７が縦向きに設けられ、少なくとも１つの縦向きロック部１０７に対応した穿孔１０８が横方向で形成されている。
ホルダ部１０６は、結合部１０３に嵌着される。少なくとも１つの縦向きロック部１０７は、少なくとも１つの縦槽１０４に嵌設される。少なくとも１つの穿孔１０８は、少なくとも１つの穴部１０５に対応するとともに、少なくとも１つの螺着部材１１６が挿設されるため、支持杆１０２とベース１０１とが強固に結合される。打撃練習装置１は、蓋体４０をさらに備える。支持杆１０２は、蓋体４０に挿設される。
蓋体４０は、少なくとも１つの穿孔１０８に対応した少なくとも１つの貫通穴４１を有する。蓋体４０は、ホルダ部１０６に嵌設されるとともに、少なくとも１つの螺着部材１１６が挿設されて固定される。蓋体４０は、支持杆１０２に強固に接続されるとともに、打撃練習装置１の全体の見た目を良くすることができる。結合部１０３には、雄ねじ凸柱１０９が突設されている。雄ねじ凸柱１０９は、ベース１０１にその他支持杆１０２を結合させるため、その他ねじを別途使用しなくても支持杆１０２とベース１０１とを固定することができる。
【００１６】
支持杆１０２は、伸縮可能に軸着された第１の支持杆１１１及び第２の支持杆１１２を有する。第１の支持杆１１１は、少なくとも１つの第１の貫通穴１１４及びホルダ部１０６を有する。第２の支持杆１１２は、複数の第２の貫通穴１１５及び組み込み接続構造１３を有する。弾発係合機構１１３は、第１の貫通穴１１４に位置決め可能に挿設され、複数の第２の貫通穴１１５のうちの１つに弾発係合させ、これにより使用者は、第１の貫通穴１１４を第２の貫通穴１１５に対応させ、弾発係合機構１１３により支持杆１０２の長さを調整して位置決めすることができる。
【００１７】
打撃練習装置１は、カバー部材５０を有する。第１の打撃部材２２を組み込み接続構造１３に単独で嵌着すると、カバー部材５０は、組み込み接続構造１３の頂端に着脱自在に取付けられるとともに、第１の方向３０上に第１の架設構造２１が係止され、各第１の打撃部材２２が使用する際に外れることを防ぐことができる。
【００１８】
図４を参照する。図４に示すように、実際に使用する際、第１の打撃部材２２を取り付けるだけで、角度調整機構２３及び第１の位置決め機構２４により第１の打撃部材２２の第１の方向３０に対する角度を変えるとともに、トレーニングするときに第１の打撃部材２２を自在に回転させることもできる。また、図８に示すように、第１の打撃部材２２及び第２の打撃部材２５を同時に取り付けて様々な訓練に使用することもできる。
【符号の説明】
【００１９】
１      打撃練習装置
１０    支持体
１１    ベース端子
１２    組み込み接続端
１３    組み込み接続構造
２０    打撃機構
２１    第１の架設構造
２２    第１の打撃部材
２３    角度調整機構
２４    第１の位置決め機構
２５    第２の打撃部材
２６    第２の架設構造
３０    第１の方向
４０    蓋体
４１    貫通穴
５０    カバー部材
１０１  ベース
１０２  支持杆
１０３  結合部
１０４  縦槽
１０５  穴部
１０６  ホルダ部
１０７  縦向きロック部
１０８  穿孔
１０９  雄ねじ凸柱
１１１  第１の支持杆
１１２  第２の支持杆
１１３  弾発係合機構
１１４  第１の貫通穴
１１５  第２の貫通穴
１１６  螺着部材
１３１  第１のねじ部
２１１  軸受
２１２  筒体
２２１  第２の打撃部
２２２  被覆部材
２３１  第２の位置決め機構
２３２  Ｕ字状枠体
２３３  プレート
２３４  収容槽
２４１  弾性固定部材
２４２  管体
２４３  穴構造
２５１  接続ボディ部
２５２  第１の打撃部
２５３  杆体
２５４  コイル状スプリング
２５５  第１の雄ねじ部
２５６  第２の雄ねじ部
２６１  第２のねじ部
【図１】
2017205508.tif 000003
【図２】
2017205508.tif 000004
【図３】
2017205508.tif 000005
【図４】
2017205508.tif 000006
【図５】
2017205508.tif 000007
【図６】
2017205508.tif 000008
【図７】
2017205508.tif 000009
【図８】
2017205508.tif 000010